(57)【特許請求の範囲】
【請求項１】
天然繊維であるジュートからなるキャンバス地を天然繊維であるラミーからなる縫糸により縫製して底および４つの側壁からなる立方体袋を形成し、この立方体袋の底および側壁に立方体袋の側壁外部に水平に配設した天然繊維であるラミーからなる帯地の水平ベルトと立方体袋の外側に垂直に配設した天然繊維であるラミーからなる帯地の垂直ベルトを掛け回し、該垂直ベルトを立方体袋の底の外側に配設すると共に立方体袋の隣接する側壁からなる角部を挟持して側壁の上方に延ばしてリングとすることにより１本のベルトの連続体として一筆書きに配設し、これら水平ベルトと垂直ベルトをラミーからなる縫糸による縫製により取り付けてフレコン・バッグに配設し、該垂直ベルトの一上端と隣接の他の上端とから形成の該リングを玉掛け用の吊り上げ部としたことを特徴とする土木工事用のフレコン・バッグ。
【請求項２】
立方体袋の外側の各側壁の上部に補強用の天然繊維であるジュートのキャンバス地のあて布を取り付け、掛け回して縫製した天然繊維であるラミーからなる帯地のベルトの縫製部分の上端部を該あて布の部分とし、該あて布の部分から上方の該ベルトを側壁から分離したリングとし、立方体袋の底の周辺部の外部に天然繊維であるジュートの帯地を取りつけ補強帯としたことを特徴とする請求項１に記載の土木工事用のフレコン・バッグ。
【請求項３】
天然繊維であるジュートからなるキャンバス地はジュートとラミーの混紡からなり、ジュートの混紡率が５５〜１００％で残部がラミーであり、かつ、天然繊維であるラミーからなる帯地および縫糸はラミーとジュートの混紡からなり、ラミーの混紡率が５０〜１００％で残部がジュートであることを特徴とする請求項１または２に記載の土木工事用のフレコン・バッグ。
【請求項４】
立方体袋の側壁上端内部に縫製により４つの側壁からなる角筒状の覆い布を垂らして配設し、該角筒状の１側壁内に結び紐を具備せしめたことを特徴とする請求項１〜３のいずれか１項に記載の土木工事用のフレコン・バッグ。
【発明の詳細な説明】
【０００１】
【発明の属する技術分野】
本発明は、河川の堤防などの締め切りなどの緊急補修の土木工事に土砂を装入して用いるフレックスコンテナーの袋（以下、「フレコン・バッグ」という。）に関する。
【０００２】
【従来の技術】
水害などで河川の流失した堤防あるいは砂防ダムや斜面の崖崩れを緊急に補修するために、河川を堰止めしたり、斜面に堰や擁壁を構築する土木工事に使用するための土砂を詰め込むフレコン・バッグは、およそ０．５トン、０．７トンあるいは１トンの土砂を詰め込んで使用されている。このフレコン・バッグは、従来はポリプロピレンなどのプラスチック製の袋体から製造されている。ところで、土砂を詰め込んだフレコン・バッグは緊急の補修堤防として築堰や築堤されたり、あるいは、擁壁として積まれた後は、たとえ本格的な堰や堤防や擁壁がその近くに構築されても、現場に土砂を詰め込んだままの補修状態で放置されて残されている。しかし、従来のフレコン・バッグの素材のプラスチックは自然環境下では、通常は分解されることなく、いつまでもプラスチック材として残存し続けることとなる。
【０００３】
ところで、近年環境汚染が問題になってきている。上記の従来のプラスチック製のフレコン・バッグも土木工事に使用されて現場にそのままの状態で放置されるので、分解することなく残存し、これが環境汚染として問題になってきている。そこで需要者から自然環境下で自然に分解する天然素材を１００％使ったフレコン・バッグが土木工事用として強く要望されている。例えば、天然繊維のジュートを１００％使用する試みが各業者で研究開発されてきている。しかし、天然繊維のジュート（すなわち「黄麻」）を１００％使用したものでは、フレコン・バッグとして最大で１トン余の重量に抗してクレーンで吊り上げるとき、フレコン・バッグが破袋してその重量に耐えることができない。そしてこのような重量に耐えて吊り上げることのできる天然繊維１００％のフレコン・バッグの開発は未だに成功していないのが現状である。
【０００４】
【発明が解決しようとする課題】
本発明が解決しようとする課題は、上記の問題に応えて環境問題に配慮して、土木工事用のフレコン・バッグの素材を１００％天然素材としながらも、土木工事においてクレーンなどにより最大で１トン余の土砂を詰め込んだフレコン・バッグを吊り上げても、十分にその吊り上げに耐えることができる強さを有する素材の組合わせおよび構造からなるものとしたフレコン・バッグを提供することである。
【０００５】
【課題を解決するための手段】
上記の課題を解決する本発明の手段は、請求項１の発明では、天然繊維であるジュートからなるキャンバス地を天然繊維であるラミーからなる縫糸により縫製して底２および４つの側壁３からなる立方体袋５を形成し、この立方体袋５の底２および側壁３に立方体袋５の側壁３外部に水平に配設した天然繊維であるラミーからなる帯地の水平ベルト６ａと立方体袋５の外側に垂直に配設した天然繊維であるラミーからなる帯地の垂直ベルト６ｂを掛け回し、該垂直ベルト６ｂを立方体袋５の底２の外側に配設すると共に立方体袋５の隣接する側壁３からなる角部９を挟持して側壁３の上方に延ばしてリング７とすることにより１本のベルトの連続体として一筆書きに配設し、これら水平ベルト６ａと垂直ベルト６ｂをラミーからなる縫糸による縫製により取り付けてフレコン・バッグ１に配設し、該垂直ベルト６ｂの一上端と隣接の他の上端とから形成の該リング７を玉掛け用の吊り上げ部としたことを特徴とする土木工事用のフレコン・バッグ１である。
【０００６】
請求項２の発明では、立方体袋５の外側の各側壁３の上部に補強用の天然繊維であるジュートのキャンバス地のあて布１０を取り付け、掛け回して縫製した天然繊維であるラミーからなる帯地のベルト６の縫製部分の上端部を該あて布１０の部分とし、該あて布１０の部分から上方の該ベルト６を側壁３から分離したリング７とし、立方体袋５の底２の周辺部の外部に天然繊維であるジュートの帯地を取りつけ補強帯８としたことを特徴とする請求項１の手段における土木工事用のフレコン・バッグ１である。
【０００７】
請求項３の発明では、天然繊維であるジュートからなるキャンバス地はジュートとラミーの混紡からなり、ジュートの混紡率が５５〜１００％で残部がラミーであり、かつ、天然繊維であるラミーからなる帯地および縫糸はラミーとジュートの混紡からなり、ラミーの混紡率が５０〜１００％で残部がジュートであることを特徴とする請求項１または２の手段における土木工事用のフレコン・バッグ１である。
【０００８】
請求項４の発明では、立方体袋５の側壁上端内部１１に縫製により４つの側壁１２からなる角筒状の覆い布１４を垂らして配設し、該角筒状の１側壁内に結び紐１３を具備せしめたことを特徴とする請求項１〜３のいずれか１項の手段における土木工事用のフレコン・バッグ１である。
【０００９】
本発明の上記の手段の作用について説明する。本発明のフレコン・バッグ１はその本体である立方体袋５を天然繊維１００％のジュートを主とするキャンバス地から構成したので、このフレコン・バッグ１に土砂を詰め込んで堆積したとき、１年位経過すると立方体袋５のジュート繊維の強度が自然環境の下で低下してきて袋としての役目が出来なくなってくるが、２〜３年は袋の形は残存して土砂間に残留する。しかし、このように自然環境の下で徐々に強度が弱くなって分解すので、そのまま土砂の間に残留しても自然環境を害することはない。ところでフレコン・バッグをジュートのみから製造するとき、ジュートは比較的に柔軟で引っ張り強度などの点で、１トン余の土砂を入れた場合にそれを工事のために吊り上げると、袋が破断してしまうこととなるなど、十分でない。発明者はこの点を考究したところ、引張強度に極めて強い素材の天然繊維の苧麻であるラミーからなる帯地からベルト６を製造し、このベルト６を立方体袋５の周囲に掛け回すことで、立方体袋５の強度を補強するものである。これら立方体袋５およびベルト６はラミーからなる縫糸により縫製する。これらのラミーの帯地およびラミーの縫糸は必ずしも１００％のラミーからなる必要はなく、ラミーとジュートの混紡からなるもので、この混紡成分はラミーが５０〜１００％で残部がジュートからなるものとすることもできる。このようなベルト６のラミーの帯地も天然繊維であるのでジュートと同様に自然環境の下で分解して崩壊するので、自然環境を害することはない。しかも、ラミーのベルト６で補強するに当たって前もってジュートの立方体袋５自体を強化するために、立方体袋５の外側の要部にジュートのキャンバス地からなるあて布、例えば立方体袋５の底２の周辺部にからなる補強帯８を設けて底２と側壁３との角部を補強し、あるいは立方体袋５の側壁３の上部のベルト６からなるリング７の付け根の部分を吊り上げたとき最も力の掛かる部分の外側にジュートのあて布１０を設けるものとする。もちろん、フレコン・バッグ１の本体である立方体袋５やあて布１０のジュートのキャンバス地は、必ずしも１００％のジュートからなる必要はなく、ジュートとラミーの混紡からなるもので、この混紡成分はジュートが５５〜１００％で残部がラミーからなるものとすることもできる。
【００１０】
さらに、このジュートからなるフレコン・バッグ１の立方体袋５それ自体の側壁の外周面および底の外側に上記の引っ張り強度の強いラミーの帯地からなるベルト６を水平方向および垂直方向に掛け回し、吊り上げたときに横方向に加わる圧力に対抗し得るように側壁３を補強する。特にリング７の取り付け部である側壁３のあて布１０の取り付け部分に水平方向の水平ベルト６ａを掛け回すことで、吊り上げ時に最も力の掛かるこの部分の側壁３を補強する。さらに側壁３のに垂直方向に掛け回したラミーの垂直ベルト６ｂを底面２の外部にも掛け回し、さらに側壁３の上端から上に延ばしてリング７にすることで、掛け回したベルト６は１本の連続体の一筆書きの構造となり、ジュートからなる立方体袋５を底部から抱える構造となっており、さらに上記のリング７が立方体袋５の隣接する二つの側壁からなる角部９を挟持して形成されているので、極めて強い補強構造に形成されている。この結果、１トン余の土砂を詰め込んで工事施工のためクレーンで吊り上げても、フレコン・バッグ１は破袋することのない構造となっている。
【００１１】
さらにフレコン・バッグ１の立方体袋５の側壁上端内部１１に底無し角筒状の４つの側壁１２からなる覆い布１４を吊り下げ、１側壁１２に結び紐を具備したので、立方体袋５に土砂を詰め込んだときに覆い布１４の側壁１２を詰め込んだ土砂上に持ち上げて全ての側壁１２を中心に寄り集めて結び紐１３で結わえて巾着部１７として土砂の覆い１８とでき、施工時あるいは施工後に詰め込んだ土砂が立方体袋５から漏れ出すことがないフレコン・バッグ１が得られる。
【００１２】
【発明の実施の形態】
図１〜図５を参照して発明の実施の形態を示す。図１は本発明のフレコン・バッグの１実施の形態の模式的斜視図である。図２は図１のフレコン・バッグの底側から見た模式的斜視図である。図３は本発明のフレコン・バッグの他の実施の形態の模式的斜視図で、（ａ）は角筒状の覆い布で、（ｂ）は（ａ）の角筒状の覆い布を立方体袋内上端に取り付けたフレコン・バッグの模式的斜視図である。図４は、図３のフレコン・バッグを一部破断して立方体袋の部を示す模式的斜視図である。図５は、図３のフレコン・バッグの使用方法を示す図で、（ａ）は角筒状の覆い布の使用方法を説明し、（ｂ）はフレコン・バッグの使用方法を説明する模式的斜視図である。
【００１３】
本発明の１実施の形態を説明する。フレコン・バッグ１は、１トン余にも及ぶ土砂を詰め込むための立方体袋５と、この立方体袋５を補強するためと施工時にクレーンで吊り上げるためのベルト６が立方体袋５の外側に掛け回されて取り付けられている。立方体袋５の側壁３に延びているベルト６の上端はクレーンの玉掛け用にリング７に形成されている。
【００１４】
ところでこのフレコン・バッグ１の本体である立方体袋５の素材は、自然環境の下で分解することのできる１００％天然繊維のジュート（黄麻）のキャンバス地からなっている。このキャンバス地は、１トン用のフレコン・バッグ１の場合では、密度が縦方向９４本／１０ｃｍ、横４７本／１０ｃｍで、重量は７６０ｇ／ｍ2である。ただし７００〜８００ｇ／ｍ2であればよい。このジュートのキャンバス地を裁断縫製して、大きさは縦１１０ｃｍ×横幅９１ｃｍ×奥行き９１ｃｍの立方体袋５とする。もちろん、上記のジュートのキャンバス地は１００％ジュートである必要はなく、フレコン・バッグ１の土砂詰め込み重量に応じてジュートとラミーの混紡とすることができ、ジュートの混紡率は５５〜１００％の範囲として残部をラミーからなるキャンバス地とすることができる。
【００１５】
補強および吊り上げ用のベルト６の素材は、ジュートと同様に自然環境の下で分解することのできる天然繊維のラミー（苧麻）の帯地からなっている。このベルト６の織地は、幅が７２ｍｍで、密度が縦方向４６本／ｃｍ、横方向６６本／ｃｍの織地から縫製されており、その重量は７０ｇ／ｍである。ただし６０〜９０ｇ／ｍであればよい。もちろん、上記のラミーの帯地は１００％ラミーである必要はなく、フレコン・バッグ１の土砂詰め込み重量に応じてラミーとジュートの混紡とすることができ、ラミーの混紡率は５０〜１００％の範囲として残部をジュートからなる帯地とすることができる。ラミーはジュートの２倍の強度を有するが値段が２．５倍するので、コストと強度を勘案して定めるものとする。もちろん、このフレコン・バッグ１の立方体袋５およびベルト６の縫製に使用する縫糸の素材は強度の強いラミーとするが、次に記載のとおり、ラミーとジュートの混紡糸とすることができる。
【００１６】
すなわち、上記の縫製や立方体袋５にベルト６を取り付けるための縫製に使用される縫糸の素材は、１００％ラミーからなり、ジュート番手で５番手×３ＰＬＹ（層）である。ただし５〜７番手×３ＰＬＹであればよい。もちろん、ラミーの帯地と同様に、フレコン・バッグ１の必要強度を勘案して、このラミーの縫糸もラミーの混紡率５０〜１００％のラミーと残部ジュートからなるものとすることができることはいうまでもない。
【００１７】
以上に記載した諸元からなる素材とすることで、これまで研究開発されてきた単なるジュートによるフレコン・バッグと異なり、本発明のフレコン・バッグ１は１トン余の土砂を詰め込んでも十分に施工に耐え得るものに形成されている。
【００１８】
１トン用のフレコン・バッグ１における立方体袋５は、例えば、高さ１１０ｃｍの各側壁３の上端からおよそ１５ｃｍ下方の外側のそれぞれ角部９寄りの位置の２箇所に大きさ２０．５ｃｍ×１７ｃｍのジュートキャンバス地のあて布１０を各側壁３をラミー縫糸で縫い付け補強する。さらに立方体袋５の底２と各側壁３との角部には全周にわたって幅９ｃｍのジュートのあて布の補強帯８をラミー縫糸で縫い付けて補強している。以上のように補強された立方体袋５は、先ず、４つの側壁３の外部に上記のラミーからなる幅７ｃｍのベルト６を水平方向に掛け回してラミー縫糸で縫製して取り付けて水平ベルト６ａとして立方体袋５の外周を補強する。この水平ベルト６ａは、本実施の形態では、側壁に上下２段に離間して設けている。次いで、図２に示すように、立方体袋５の底２の外側に井桁にラミーからなる幅７ｃｍのベルト６を掛け回してラミー縫糸で縫製して取り付ける。この場合、ラミーからなる幅７ｃｍのベルト６は長尺の１本からなるものとし、この１本のベルト６を底２のみでなく、先に水平ベルト６ａを上下２段に取り付けた４つの側壁３の外側にも上部のあて布１０まで垂直方向にベルト６をラミー縫糸で縫製して取り付けて垂直ベルト６ｂとする。さらに、各側壁３の上部のあて布１０の部分から縫製することなく側壁３に自由にして、さらに、各側壁３の上端にも延ばしてリング状に折り返して隣接の側壁３のあて布１０の部分までをリング７に形成する。さらに、その側壁３のあて布１０の部分から垂直方向に縫製して垂直ベルト６ｂを取り付けてその先を底２の先に示した井桁の一つとして掛け回す。このようにして、各側壁３に２条の垂直ベルト６ｂを設け、底２を上記の井桁になるように掛け回して一筆書きの連続体としている。この結果、各側壁３にも２本の水平ベルト６ａと２本の垂直ベルト６ｂにより井桁に補強されている。さらに、ベルト６のリング７の裏側にはラミー帯地の補強あて布１５を形成して、リング７で吊り上げてもリング７が切断することがない。
【００１９】
従って、隣接する側壁３からなる角部９を挟持するように垂直ベルト６ｂは側壁３より上方に延びてリング７を形成している。この結果、リング７は４個形成され、この４個のリング７はクレーンで吊り上げる際の玉掛け用となる。この場合、各リング７は角部９をそれぞれ中央に抱えるようになるので、土砂を詰め込んだフレコン・バッグ１を安定して保持できる。以上のように強度の強いラミーからなるベルト６により立方体袋５の底２と側壁３が水平方向および垂直方向ともに掛け回されているので、フレコン・バッグ１は極めて丈夫な構造となり、１トン余の土砂を詰め込んで吊り上げて、仮にこのフレコン・バッグ１が落下しても、中身の重量に耐えかねて破袋することはない。
【００２０】
他の実施の形態では、フレコン・バッグ１の立方体袋５の側壁上端内部１１に図３の（ａ）に示す覆い布１４を取り付け内部に垂らしている。この覆い布１４はジュートのヘッシャンクロスからなるやや薄い布地の４つの側壁１２からなる底のない高さ７０ｃｍの筒体からなり、１側壁１２の内部に、土砂を詰め込んだ時に、図５の（ａ）に示すように立方体袋５の側壁３上に持ち上げ方向１６に持ち上げた後、巾着に絞って結び巾着部１７とするための結び紐１３を取り付けている。図５の（ｂ）のようにフレコン・バッグ１の中に詰めた土砂を覆い１８で覆うので、土砂がこぼれ出すことはない。
【００２１】
以上に説明した本発明におけるフレコン・バッグ１は土木用として開発したものである。しかし、このフレコン・バッグ１は０．５トンないし１トン余の重量に耐えられる構造であるので、土木工事用にその用途を限ることなく、例えば、穀物の収納袋にそのまま利用できることはいうまでもない。特に、天然繊維のジュートやラミーからなるこの収納袋はジュートのキャンバス地を通して収納袋内に空気が流出入できるので、穀物の収納および運搬用として特に優れている。
【００２２】
【発明の効果】
以上説明したとおり、本発明は、天然繊維１００％からなるフレコン・バッグとし、さらに天然繊維のラミーからなる強度の強いベルトでフレコン・バッグの本体の立方体袋の側壁の周囲を水平方向に掛け回すとともに、立方体袋の側壁を垂直方向にし、かつ、その底を井桁にして１本のベルトの連続体として吊り上げ用に掛け回しすことにより、補強した構造としているので、ラミーの帯地のベルトの強度が１００％発揮されて本体の立方体袋を最大限に補強されており、大きなフレコン・バッグは１トン余の土砂を詰めて吊り上げることができ、たとえ誤って落下させてもフレコン・バッグが破袋することなく、土木工事を安全に施工できる。さらに、施工後に長期間積上げ状態のままで放置したとしても自然環境の下でフレコン・バッグの素材の天然繊維のジュートやラミーは分解されるので、従来のポリプロピレン製のフレコン・バッグのようにいつまでも分解されることなく残存して環境を汚染することがないなど、本発明は優れた効果を奏するものである。
【図面の簡単な説明】
【図１】本発明のフレコン・バッグの１実施の形態の模式的斜視図である。
【図２】図１のフレコン・バッグの底側から見た模式的斜視図である。
【図３】本発明のフレコン・バッグの他の実施の形態の模式的斜視図で、（ａ）は角筒状の覆い布で、（ｂ）は（ａ）の角筒状の覆い布を立方体袋内上端に取り付けたフレコン・バッグの斜視図である。
【図４】図３のフレコン・バッグを一部破断して立方体袋の部を示す模式的斜視図である。
【図５】図３のフレコン・バッグの使用方法を示す図で、（ａ）は角筒状の覆い布の使用方法を説明し、（ｂ）はフレコン・バッグの使用方法を説明する模式的斜視図である。
【符号の説明】
１  フレコン・バッグ
２  底
３  側壁
４  接合部
５  立方体袋
６  ベルト
６ａ  水平ベルト
６ｂ  垂直ベルト
７  リング
８  補強帯
９  角部
１０  あて布
１１  側壁上端内部
１２  側壁
１３  結び紐
１４  覆い布
１５  補強あて布
１６  持ち上げ方向
１７  巾着部
１８  覆い
【図１】
0003571005.tif 000002
【図２】
0003571005.tif 000003
【図３】
0003571005.tif 000004
【図４】
0003571005.tif 000005
【図５】
0003571005.tif 000006